(57)【要約】【課題】  本発明は、立ち姿勢のまま無理のない自然な動作で疲れることなく、直に土や草に触れずに、ごく小さな草から強固に根差した草まで根元を挟んでより効率的に草を抜き取ることのできる除草具を提供することにある。【解決手段】  長柄1の後端側のハンドル取付部２に２本のロッド３を牽引するハンドル４を長柄１に直交させて設け、このハンドル４の引き操作でロッド３に連結するコ字形の揺動板５を揺動させ、揺動板５の両腕５ａの連結部分である当て板５ｂの面を鍬刃６の刃先に突き当て長柄１を引くことにより雑草を刈り取る、または抜き取るようにした。【選択図】  図１
2005278495.tif 000002
【特許請求の範囲】
【請求項１】
長柄（１）の後端側に設けたハンドル取付部（２）に２本のロッド（３）を牽引するハンドル（４）を長柄（１）に直交させて設け、このハンドル（４）の引き操作でロッド（３）に連結するコ字形の揺動板（５）を揺動させ、揺動板（５）の両腕（５ａ）の連結部分である当て板（５ｂ）の面を鍬刃（６）の刃先に突き当て長柄１を引くことにより雑草を刈り取る、または抜き取るようにした除草具。
【請求項２】
鍬刃（６）の基部（６ａ）にコ字形の軸支板（７）を下方に向け設け、この鍬刃（６）の基部（６ａ）を長柄（１）の先端に嵌め込み、そしてこの軸支板（７）のコ字形の両腕（７ａ）に揺動板（５）の両腕（５ａ）の下方１／３当たりを軸支ピン（８）で各軸支し、この両腕（５ａ）端部にハンドル（４）に連結する２本のロッド（３）を各連結し、ハンドル（４）を引いたときにハンドル（４）に連結する２本のロッド（３）が前記揺動板（５）の両腕（５ａ）端部を引き込み、他端側の当て板（５ｂ）を軸支ピン（８）回りに回転させて当て板（５ｂ）の面を鍬刃（６）の刃先に突き当てるようにした請求項１記載の除草具。
【請求項３】
前記長柄（１）のハンドル取付部（２）の屈曲角度αを約２０度とし、この長柄（１）の先端に嵌めこんだ基端（６ａ）と鍬刃（６）の刃面との曲げ角βを約７５度とし、ハンドル（４）を引いて鍬刃（６）の刃先と揺動板（５）の当て板（５ｂ）の面とのなす角γを約５５〜６０度になるように設定した請求項１及び請求項２記載の除草具。
【発明の詳細な説明】
【技術分野】
【０００１】
本発明は、庭や菜園または路面に生える雑草を容易に取り除くことのできる除草具に関する。
【背景技術】
【０００２】
庭や菜園または路面に生える雑草を刈り取る。または根から抜き取るための除草具がいろいろと提案されている。例えば特許文献１のものは、長尺な柄の先端に一方がスコップで他方がクワ形の挟持部を設け、スコップで掘り起こした雑草をクワ形部で挟み込み抜き取るようにしたものである。このものは雑草一本一本の根を掘り起こし掴み取るものであるから手間がかかり、また柄の後端のハンドルを片手の握力で操作するものであるから手が疲れて長続きしないという問題があった。また特許文献２のものは、雑草の挟持部に関しては特許文献１のものとほぼ同等のものであって、一方がシャベル、他方がギザギザな掴み刃としている。然しながらこのものは火バサミ形状であるから同様に片手握力で操作するので手が疲れて長続きしないという問題があった。
【０００３】
また特許文献３のものは、長尺柄の先端に設けた固定刃に可動刃を押し付けて雑草を挟み取るようにしたものである。このものは長尺柄の後端に設けたレバーを片手操作して前記可動刃を回転するようにしたものであって、やはり片手握力で操作するので手が疲れて長続きしないという問題がある。
【特許文献１】特開平９−２８１０１号公報
【特許文献２】実開平２−１３７８０１号公報
【特許文献３】特開平８−１５４４０３号公報
【発明の開示】
【発明が解決しようとする課題】
【０００４】
本発明は、立ち姿勢のまま無理のない自然な動作で疲れることなく、直に土や草に触れずに、ごく小さな草から強固に根差した草まで根元を挟んでより効率的に草を抜き取ることのできる除草具を提供することにある。
【課題を解決するための手段】
【０００５】
本発明の除草具は、請求項１記載のように、長柄1の後端側に設けたハンドル取付部２に２本のロッド３を牽引するハンドル４を長柄１に直交させて設け、このハンドル４の引き操作でロッド３に連結するコ字形の揺動板５を揺動させ、揺動板５の両腕５ａの連結部分である当て板５ｂの面を鍬刃６の刃先に突き当て長柄１を引くことにより雑草を刈り取る、または抜き取るようにしたことを特徴とする。
【０００６】
また請求項２記載のように、鍬刃６の基部６ａにコ字形の軸支板７を下方に向け設け、この鍬刃６の基部６ａを長柄1の先端に嵌め込み、そしてこの軸支板７のコ字形の両腕７ａに揺動板５の両腕５ａの下方１／３当たりを軸支ピン８で各軸支し、この両腕５ａ端部にハンドル４に連結する２本のロッド３を各連結し、ハンドル４を引いたときにハンドル４に連結する２本のロッド３が前記揺動板５の両腕５ａ端部を引き込み、他端側の当て板５ｂを軸支ピン８回りに回転させて当て板５ｂの面を鍬刃６の刃先に突き当てるようにしたことを特徴とする。
【０００７】
さらに請求項３記載の通り、前記長柄１のハンドル取付部２の屈曲角度αを約２０度とし、この長柄１の先端に嵌めこんだ基端６ａと鍬刃６の刃面との曲げ角βを約７５度とし、ハンドル４を引いて鍬刃６の刃先と揺動板５の当て板５ｂの面とのなす角γを約５５〜６０度になるように設定したことを特徴としている。
【発明の効果】
【０００８】
本発明の除草具は、立ち姿勢のまま片方の手で柄を持ち、他方の手でハンドルを持ち前後に動かして草取りをするものであるから、従来の握力を使う片手操作式に比べ連続的に雑草取り作業をしても疲れることがない。また一方を鍬刃、他方を当て板として草の根元を挟むことにより、ごく小さな草から強固に根差した草まで容易に抜き取ることができる。また草を挟んで処理できるので直接手で土や草に触らずに済み、手も汚さず怪我も防止できる。
【発明を実施するための最良の形態】
【０００９】
本発明を実施するための最良の形態を図面に基づき以下説明する。本発明の除草具は、長柄の後端側１／３ほどに設けたハンドル取付部にロッドを牽引するハンドルを取り付け、このハンドルの引き操作でロッドに連結するコ字形の揺動片を揺動させ、揺動片の両腕の連結部分である当て板の面を鍬刃に突き当て長柄１を手前に引くことにより雑草を刈り取る、または抜き取るようにしたものである。
【実施例】
【００１０】
すなわち本発明の除草具は、図１に示すように、長柄1の後端側１／３ほどに設けたハンドル取付部２に２本のロッド３を牽引するハンドル４を長柄１に直交させて設け、このハンドル４の引き操作でロッド３に連結するコ字形の揺動板５を揺動させ、揺動板５の両腕５ａの連結部分(底面)である当て板５ｂの面を鍬刃６の刃先に突き当て長柄１を引くことにより雑草を刈り取る、または抜き取るようにしたものである。尚、前記ロッドは針金＃１２番程度のものを使用している。
【００１１】
詳述すれば、鍬刃６の基部６ａにコ字形の軸支板７の中央部を溶接固定しておき、この鍬刃６の基部６ａを長柄1の先端に嵌め込む。そしてこの軸支板７のコ字形の両腕７ａに揺動板５の両腕５ａの下方１／３当たりを軸支ピン８で各軸支し、この両腕５ａ端部にハンドル４に連結する２本のロッド３を各連結する。そしてハンドル４を引いたときにハンドル４に連結する２本のロッド３が前記揺動板５の両腕５ａ端部を引き込み、他端側に当たる連結部分、すなわち当て板５ｂを軸支ピン８回りに回転させ、その当て板５ｂの面を鍬刃６の刃先に突き当てるようにしたものである。尚、前記2本のロッド３を安定的に作動させるため、その長さの中程で内側に寄せるように鉄線９で固定してある。
【００１２】
また前記長柄１のハンドル取付部２は屈曲した位置にあり、その屈曲角度αは約２０度であり、この長柄１の先端に嵌めこんだ基端６ａと鍬刃６の刃面との曲げ角βは約７５度であり、ハンドル４を引いて鍬刃６の刃先と揺動板５の当て板５ｂの面とのなす角γは約５５〜６０度になるように各設定してある。
【００１３】
本除草具は、揺動板５の軸支ピン８の位置を腕長さの比で２対１の割合とし、鍬刃６から長柄１のハンドル取付部２までの長さを７０ｃｍ、ハンドル取付部２から長柄１の後端までの長さを５０ｃｍとすることにより操作性、扱いやすさを良くしている。また長柄１が屈曲しているのでハンドル４を持った手と長柄１の後端を持った手のバランスが良く持ち易い。また左右２本のロッド３が揺動板５の両腕５ａに均等に力を伝えるので、当て板５ｂが鍬刃６に確実に押し当てられ雑草の根元を挟み込むことができる。
【００１４】
本発明の除草具を用いて雑草を抜き取るときは、片方の手でハンドル４を持ち、他方の手で長柄１の後端部を持って、ハンドル８を引き、当て板５ｂを鍬刃６の刃先に当接させて雑草の根元を挟んだまま長柄１全体を引いて雑草を抜き取る。通常の場合は鍬刃６の中央あるいは幅全体を使い、小さな雑草を一本ずつ抜き取る場合は鍬刃６の端部を使うと作業がし易い。
【図面の簡単な説明】
【００１５】
【図１】本発明に係る除草具のハンドルを引かない状態の斜視図である。
【図２】ハンドルを引いた状態の斜視図である。
【図３】図２の正面図である。
【図４】図２の平面図である。
【図５】図２の側面図である。
【符号の説明】
【００１６】
１  長柄
２  ハンドル取付部
３  ロッド
４  ハンドル
５  コ字形の揺動板
５ａ  両腕
５ｂ  当て板
６  鍬刃
７  コ字形の軸支板
７ａ  両腕
８  軸支ピン
９  鉄線
【図１】
2005278495.tif 000003
【図２】
2005278495.tif 000004
【図３】
2005278495.tif 000005
【図４】
2005278495.tif 000006
【図５】
2005278495.tif 000007